(57)【要約】【課題】ピアス式あるいはクリップ式として共用できることはもちろん、ピンが水平位置および垂直位置に確実に保持される上、ピンを水平ないし垂直の位置に保持する特別のパーツが必要ないので、イヤリングの装飾性が損なわれるという問題の生じない、使い勝手のよいピアス兼イヤリングを提供しようとするものである。【解決手段】耳たぶ前面に装飾体を取付けられ、耳たぶを挟むように装着されるイヤリング本体と、上記装飾体の背面に軸受部を介して軸着され、かつ起伏自在としたピンとを有し、このピンを上記軸受部に取り付けた割ピンで保持する際に、割ピンを弾性素材で構成するとともに、割ピンを上記ピンの軸孔に挿通して軸受部に取り付けることにより、ピンを割ピンの弾性のみでピアス用として起立させ、あるいはイヤリング用として倒した状態で保持できるようにしたことを特徴とするピアス兼イヤリング。【選択図】          図４
2004275476.tif 000002
【特許請求の範囲】
【請求項１】
耳たぶ前面に装飾体を取付けられ、耳たぶを挟むように装着されるイヤリング本体と、上記装飾体の背面に軸受部を介して軸着され、かつ起伏自在としたピンとを有し、このピンを上記軸受部に取り付けた割ピンで保持する際に、割ピンを弾性素材で構成するとともに、割ピンを上記ピンの軸孔に挿通して軸受部に取り付けることにより、ピンを割ピンの弾性のみでピアス用として起立させ、あるいはイヤリング用として倒した状態で保持できるようにしたことを特徴とするピアス兼イヤリング。
【請求項２】
割ピンが、軸受部にピンとともに回動可能に取り付けてある請求項１に記載のピアス兼イヤリング。
【請求項３】
割ピンが、軸受部に固定され、ピンのみが割ピン上を回動するように取り付けてある請求項１に記載のピアス兼イヤリング。
【発明の詳細な説明】
【０００１】
【発明の属する技術分野】この発明は、耳たぶの穴にピンを差し込むピアス式のイヤリングとして、またはバネで耳たぶをはさみつけるクリップ式のイヤリングとして、それぞれ兼用することができるようにしたピアス兼イヤリングに関するものである。
【０００２】
【従来の技術】従来のイヤリングは、耳たぶの穴にピンを差し込むピアス式のイヤリングや、またバネで耳たぶをはさみつけるクリップ式のイヤリング等が知られている。これらのイヤリングは通常はそれぞれ単一の機能を有するよう作成されているが、例えば高価なイヤリングなどの場合には複数の人が着用することも考えられる。そのような場合、片方の着用者が耳たぶに穴が形成されていてピアス式のイヤリングとして使用し、もう一方の着用者が耳たぶに穴がなく、バネで耳たぶをはさみつけるクリップ式のイヤリングとして使用したいという要請がある。
【０００３】そのために、実公平４−１４０２５号公報（特許文献１）の発明においては、バネで耳たぶをはさみつけるクリップ式のイヤリングでありながら、ピンを装飾体の背面に回動可能に取り付けている。すなわち、ピンを水平位置に保持した状態でピアス式のイヤリングとして使用することができ、またピン先端を持ち上げて装飾体の背面に沿って上向きに収納したときには、通常のバネで耳たぶをはさみつけるクリップ式のイヤリングとして使用できるようにしてある。
【０００４】しかしながら、上記従来例においては、ピンを持ち上げて装飾体の背面に沿って収納するのでピンが倒れやすく、取扱いに不便である上、危険であるという問題があった。そこで、実公平７−８９号公報（特許文献２）のように、装飾体の背面に沿って耳当て板を取り付け、耳当て板の背後に軸着したピンを、クリップ式イヤリングとして使用する場合に、耳当て板に設けたスリットを通って下向きに収納するようにしたイヤリングが提案されている。
【０００５】また実開平６−４６５１４号公報（特許文献３）の発明においては、装飾体の背面に耳当て板を垂設し、耳当て板の背後に軸着したピンを、クリップ式イヤリングとして使用する場合に、耳当て板に設けた下向きの挟着溝にピンをはめ込んで保持し、下向きに収納する場合には、装飾体の背面に設けたストッパの挟着溝にピンをはめ込んで保持するようにしたイヤリングが提案されている。
【０００６】しかしながら、上記ピアス式あるいはクリップ式として兼用できるイヤリングのうち、ピンを下向きに収納するようにしたイヤリングは次のような欠点を有している。すなわち実公平７−８９号公報（特許文献２）のものは、クリップ式のイヤリングとして使用する場合には、ピンを装飾体の背面に沿って収納すると、ピン先端がスリットの裏側で横方向に振れてしまい、スリットの裏側で引っ掛かってスリットから出てこなくなってしまうという欠点があった。
【０００７】また実開平６−４６５１４号公報（特許文献３）のものは、ピンの軸着部分と耳当て板の挟着溝およびストッパの挟着溝との間に距離があるため、使用中にピンの軸着部分に狂いが生じた場合にスムーズにそれらの挟着溝にはめ込むことができない上、例えば使用中に外れてその中間位置にある場合にはぶらぶらして見苦しく、またその際ピンに負荷がかかるとピンの軸着部分に狂いが生じやすいという欠点があった。
【０００８】そのため、特開２００１−５７９０５号公報（特許文献４）のように、ピンの軸着部分と水平保持の機構部分および垂直保持の機構部分との間の距離を短くするようにしたものも提案されている。
【０００９】
【特許文献１】実公平４−１４０２５号公報
【特許文献２】実公平７−８９号公報
【特許文献３】実開平６−４６５１４号公報
【特許文献４】特開２００１−５７９０５号公報
【００１０】
【発明が解決しようとする課題】しかしながら、上記ピアス式あるいはクリップ式として兼用できるイヤリングのいずれのものも、ピンを水平ないし垂直の位置に保持するパーツが軸着機構とは別に形成されている。したがって、そのためのパーツをロー付けしたり、組付けたりする必要があってコストアップの１因となっており、またそれらのパーツがイヤリングの美観を損ねてしまうという問題があった。
【００１１】この発明のピアス兼イヤリングは従来例の上記欠点を解消しようとするもので、ピアス式あるいはクリップ式として共用できることはもちろん、ピンが水平位置および垂直位置に確実に保持される上、ピンを水平ないし垂直の位置に保持する特別のパーツが必要ないので、イヤリングの装飾性が損なわれるという問題の生じない、使い勝手のよいピアス兼イヤリングを提供しようとするものである。
【００１２】
【課題を解決するための手段】この発明のピアス兼イヤリングは、耳たぶ前面に装飾体を取付けられ、耳たぶを挟むように装着されるイヤリング本体と、上記装飾体の背面に軸受部を介して軸着され、かつ起伏自在としたピンとを有し、このピンを上記軸受部に取り付けた割ピンで保持する際に、割ピンを弾性素材で構成するとともに、割ピンを上記ピンの軸孔に挿通して軸受部に取り付けることにより、ピンを割ピンの弾性のみでピアス用として起立させ、あるいはイヤリング用として倒した状態で保持できるようにしたことを特徴とするものである。
【００１３】この発明のピアス兼イヤリングは、上記割ピンが、軸受部にピンとともに回動可能に取り付けてあることをも特徴とするものである。
【００１４】またこの発明のピアス兼イヤリングは、上記割ピンが、軸受部に固定され、ピンのみが割ピン上を回動するように取り付けてあることをも特徴とするものである。
【００１５】この発明のピアス兼イヤリングによれば、ピアス式あるいはクリップ式として共用できることはもちろん、ピンを水平ないし垂直の位置に保持するパーツが不要となるので装飾性が損なわれることもなく、ピンの首振り動作がスムーズでしかも所定の位置に確実に保持することが可能であり、また製造時の組み付けが簡単で使い勝手のよいイヤリングを提供することができるようになった。
【００１６】
【発明の実施の形態】以下、この発明のピアス兼イヤリングの実施の形態を、図面に基いて詳細に説明する。図１はこの発明のピアス兼イヤリングの１実施例を示す側面図、図２は別の実施例を示す側面図、図３はピンの軸着機構を示し、（ａ）は軸着機構の表側の説明図、（ｂ）は裏側の説明図、（ｃ）は側面図、図４はピンの軸着部分の組付け方を示す分解図、図５（ａ）はイヤリング前面の装飾体取付機構の側面図、（ｂ）は装飾体を取り付けない場合のキャップの側面図、また図６はイヤリング前面の装飾体取付機構の他の例を示す側面図、図７はイヤリング前面に下げ飾りを着脱自在に取り付ける機構を示す側面図である。
【００１７】図１および図２において、１はイヤリング本体で、金や銀、プラチナ等の貴金属でＬ字あるいはＵ字状に形成され、その前面には装飾体２が取り付けられるようになっている。３は装飾体の取付バーである。
また図において４は、イヤリング本体１の上端に固定したピアス用のピン５の軸受部である。
【００１８】イヤリング本体１の背面立上り部６には弾性挟着体７が開閉自在に取付けられており、この弾性挟着体７は耳たぶ方向への付勢力を備えるとともに、先端にピン５の案内部８が設けてある。上記弾性挟着体７の耳たぶ方向への付勢機構については、貴金属製の弾性線材とハ字状に開口させた線材の装着部との組み合わせによる従来のイヤリングに採用されている機構が好適に採用できる。
【００１９】上記イヤリング本体１の背面にはピアス用のピン５が取り付けられている。すなわち図３および図４のように、ピン５の一端に設けた軸孔２１をイヤリング本体１にロー付け等によって取り付けた軸受部４内にはめ込み、軸受部４の軸孔２２から挿通した割ピン２３を上記軸孔２１に挿通して保持するようになっている。その際、割ピン２３を弾性素材で構成することにより、ピアス用のピン５を割ピン２３の弾性のみで保持している。したがって、ピン５をピアス用として起立させ、あるいはイヤリング用として倒した状態で保持できるよう、軸受部４と割ピン２３のみで構成したのが本発明である。
【００２０】上記割ピン２３は、軸受部４にピン５とともに回動可能に取り付けることができる。すなわち、割ピン２３の弾性がその中央で最も強く作用するように膨らみを持たせ、割ピン２３とピン５との係合が強固なものとなるようにしておく。その上で、割ピン２３が軸受部４の軸孔２２内を回転可能とするのである。なお、ピン５の回動に応じて割ピン２３が回転する際に、ピン５が水平位置もしくは垂直位置に位置決めされるよう、上記軸孔２２の断面を四角くしておくことが望ましい。
【００２１】上記割ピン２３を、軸受部４に固定し、ピン５のみが割ピン２３上を回動するように取り付けることもできる。すなわち、割ピン２３の弾性がその両側で最も強く作用するように膨らみを持たせ、割ピン２３と軸受部４の軸孔２２との係合が強固なものとなるようにしておく。その上で、ピン５が割ピン２３の外周上を回転可能とするのである。なお、ピン５が割ピン２３上を回動する際に、ピン５が水平位置もしくは垂直位置に位置決めされるよう、上記ピン５の軸孔２１の断面を四角くしておくことが望ましい。
【００２２】以上のように、ピン５の先端が振り上げた水平位置と垂下させた垂直位置との間を首振り自在としてある。そして通常の垂下させた垂直位置と、イヤリング本体１の裏面から突き出して保持される水平位置との間で９０度回転することができる。
【００２３】図５はイヤリング前面の装飾体取付機構を説明するためのものであり、図（ａ）において３はイヤリング本体１の上端に取り付けられた装飾体２の取付バーで、台座３１をロー付け等の手段でイヤリング本体１の上端前面に取り付けることにより固着されている。この取付バー３は、外周上にネジを切って装飾体２の雌ネジにネジ付けたり、接着剤を介して装飾体２背面の取付孔に挿通して固着したりすることができる。
他方、イヤリング本体１の前面に装飾体２を取り付けない場合には、図（ｂ）のキャップ３２をイヤリング本体１の前面に取り付けておくことが望ましい。もちろん、上記キャップ３２はその材質を貴金属として付加価値を高めておくことができる。
【００２４】この発明のピアス兼イヤリングは以上のように構成されており、これをクリップ式のイヤリングとして使用する場合には、予めピン５を垂下させた状態とし、イヤリング本体１の背面に保持しておく。この状態で弾性挟着体７をイヤリング本体１上端側に倒すと、弾性挟着体７はその軸着機構から耳たぶ側へ倒そうとする力を受け、イヤリング本体１上端側に付勢されて、耳たぶを上部軸受部４との間で挟着することにより、イヤリングは耳たぶに取り付けられる。したがって、上部軸受部４は従来の耳当て板の機能をも備えている。
【００２５】次にピアス式のイヤリングとして使用する場合には、ピン５を水平位置まで振り上げる。その水平に持ち上げた状態で、ピン５を耳たぶの孔にはめ込んだ上、上述のように弾性挟着体７をイヤリング本体１上端側に倒すと、耳たぶの孔から突き出たピン５の先端に、弾性挟着体７の案内部８がはめ込まれて抜け止めされる。このとき、弾性挟着体７がイヤリング本体１上端側に付勢する力を受けるのは上記と同様である。いずれにしても外す際はこれと逆の操作を行なえばよい。
なお、上記水平位置および垂直位置のいずれの状態においても、ピン５は割ピン２３の作用を受けており、水平位置もしくは垂直位置に確実に位置決めされるのである。
【００２６】図６は、イヤリング前面の装飾体取付機構の他の例を示すものである。この例では、上記取付バー３に代えて、ワンタッチで装飾体２を着脱することができる機構を示している。すなわち、側面にＬ字状の溝４２を形成した突起４１をイヤリング本体１の前面に取り付けている。そして、装飾体２の突起４１をはめ込む取付孔４３には、その開口位置に上記突起４１の溝４２に対応して係止片４４が内向きに取り付けてあり、また内部にはコイルバネ４５が収納してある。
【００２７】したがって装飾体２を、その取付孔４３の係止片４４を突起４１の溝４２に位置合わせしながら、取付孔４３を突起４１上に押し込み、溝４２のＬ字状に合わせて回すことにより、溝４２の横溝部分に係止片４４が係合する。その際、コイルバネ４５が突起４１の頭部を押しているので、係止片４４は確実に溝４２の横溝と係合し、装飾体２は突起４１から抜け止めされるのである。もちろん、溝４２の横溝の角度は、装飾体２が突起４１から簡単に抜けないような角度にしておくことが望ましい。
【００２８】図７はイヤリング本体１の前面に下げ飾り（装飾体）５１を着脱自在に取り付ける機構を示すものである。この例では、上記図６に用いた装飾体取付機構が採用されている。すなわち、イヤリング本体１の前面下部にバチカン５２が取り付けられ、このバチカン５２に図６と同様の構造を備えた突起５３が吊下げられているのである。もちろん、この突起５３に装着される下げ飾り５１の取付孔の構造も図６のものと同様の構造とすることができる。
【００２９】
【発明の効果】この発明のピアス兼イヤリングによれば、ピアス式あるいはクリップ式として共用できることはもちろん、ピンを水平ないし垂直の位置に保持するパーツが不要となるので装飾性が損なわれることもなく、ピンの首振り動作がスムーズでしかも所定の位置に確実に保持することが可能であり、また製造時の組み付けが簡単で使い勝手のよいイヤリングを提供することができるようになった。
【図面の簡単な説明】
【図１】この発明のピアス兼イヤリングの１実施例を示す側面図である。
【図２】別の実施例を示す側面図である。
【図３】ピンの軸着機構を示し、（ａ）は軸着機構の表側の説明図、（ｂ）は裏側の説明図、（ｃ）は側面図である。
【図４】ピンの軸着部分の組付け方を示す分解図である。
【図５】（ａ）はイヤリング前面の装飾体取付機構の側面図、（ｂ）は装飾体を取り付けない場合のキャップの側面図である。
【図６】イヤリング前面の装飾体取付機構の他の例を示す側面図である。
【図７】イヤリング前面に下げ飾りを着脱自在に取り付ける機構を示す側面図である。
【符号の説明】
１  イヤリング本体
２  装飾体
３  取付バー
４  軸受部
５  ピアス用のピン
６  背面立上り部
７  弾性挟着体
８  案内部
２１  軸孔
２２  軸孔
２３  割ピン
３１  台座
３２  キャップ
４１  突起
４２  Ｌ字状の溝
４３  取付孔
４４  係止片
４５  コイルバネ
５１  下げ飾り
５２  バチカン
５３  突起
【図１】
2004275476.tif 000003
【図２】
2004275476.tif 000004
【図３】
2004275476.tif 000005
【図４】
2004275476.tif 000006
【図５】
2004275476.tif 000007
【図６】
2004275476.tif 000008
【図７】
2004275476.tif 000009